(57)【要約】    【課題】  従来の"釘打ちの儀"に替わり、真に「出棺前の別れの悲しみにひとつの区切りをつける儀式」を行うべく、そのために用いられる組み紐と当該組み紐を用いた葬儀方法を提供する。    【解決手段】  棺１０に載上される組み紐であって、少なくとも棺の正面を覆う第１の組み紐１２ａと、少なくとも棺の片側面を覆う第２の組み紐１２ｂと、から構成され、円環状に転載された第１の組み紐１２ａに第２の組み紐１２ｂを懸架して、棺の正面及び両側面を覆うように形成された組み紐。また、棺に載上される組み紐に、物を固定する固定部材１８が設けられている組み紐。【選択図】          図１
2005040308.tif 000002
【特許請求の範囲】
【請求項１】
棺に載上される組み紐であって、少なくとも棺の正面及び両側面を覆うように形成された組み紐。
【請求項２】
棺に載上される組み紐であって、少なくとも棺の正面を覆う第１の組み紐と、少なくとも棺の片側面を覆う第２の組み紐と、から構成され、円環状に転載された前記第１の組み紐に前記第２の組み紐を懸架して、棺の正面及び両側面を覆うように形成された組み紐。
【請求項３】
棺に載上される組み紐に、物を固定する固定部材が設けられている組み紐。
【請求項４】
請求項１から３のいずれか記載の組み紐を棺に載上して行う葬儀方法。
【請求項５】
請求項１から３のいずれか記載の組み紐を棺に載上し、棺の両側面に位置する組み紐をビスで留めて行う葬儀方法。
【発明の詳細な説明】
【技術分野】
【０００１】
本発明は、出棺前の別れの際に使用する組み紐と、その組み紐を用いた葬儀方法に関する。
【背景技術】
【０００２】
一般に、仏式葬儀では、葬儀の結びで、出棺前の別れの悲しみにひとつの区切りをつける儀式として、いわゆる"釘打ちの儀"が行われる。この"釘打ちの儀"は、喪主・遺族・近親者・友人等によって、小石を使って棺に軽く釘を打つ儀式であり、無事に冥途にたどりつけるように願って打つことで、葬儀を結ぶこととなる。
【発明の開示】
【発明が解決しようとする課題】
【０００３】
しかしながら、"釘打ちの儀"の際には、小石で釘を叩くときに「カンカン」という音が葬儀会場一遍に鳴り響くことによって、出棺前の別れの悲しみが増すという状況にある。また、「故人を棺の中に納めて蓋をし、さらに釘を打って閉じ込めてしまう」という環境によって、出棺前の別れの悲しみが増大するという状況にある。
【０００４】
このように、本来「出棺前の別れの悲しみにひとつの区切りをつける儀式」としての"釘打ちの儀"が、逆に別れの悲しみを増大させて、区切りをつけるという趣旨に反する状況になっている。
【０００５】
本発明は、このような点に鑑みてなされたものであり、その目的は、真に「出棺前の別れの悲しみにひとつの区切りをつける儀式」を行うべく、そのために用いられる組み紐と当該組み紐を用いた葬儀方法を提供することにある。
【課題を解決するための手段】
【０００６】
以上のような課題を解決するために、本発明は、以下のものを提供する。
【０００７】
（１）  棺に載上される組み紐であって、少なくとも棺の正面及び両側面を覆うように形成された組み紐。
【０００８】
（２）  棺に載上される組み紐であって、少なくとも棺の正面を覆う第１の組み紐と、少なくとも棺の片側面を覆う第２の組み紐と、から構成され、円環状に転載された前記第１の組み紐に前記第２の組み紐を懸架して、棺の正面及び両側面を覆うように形成された組み紐。
【０００９】
上記（１）及び（２）の発明によれば、棺の正面を覆う所定の長さを持つ組み紐と、棺の側面（右側面、左側面）を覆う所定の長さを持つ組み紐と、を提供することによって葬儀に供することができる。なお、棺の正面を覆う組み紐（第１の組み紐）は円環状となるように組み紐を結ぶことで、真に「出棺前の別れの悲しみにひとつの区切りをつける儀式」を執り行うことができる。すなわち、日本人は古来より結び目に思いや祈りを込め、精神の安定や幸福を求めるという思想を持っており、この結び目によって、「故人の旅立ちがつつがなきように」という意味を込めて、厳かに結ぶこととなる。
【００１０】
（３）  棺に載上される組み紐に、物を固定する固定部材が設けられている組み紐。
【００１１】
本発明によれば、組み紐に固定部材を設けることで、棺に載上された組み紐に花などを固定することができ、棺の上から物が落ちることなく、厳かに葬儀を行うことができる。また、単に棺の上に組み紐を載せた場合よりも、固定部材で固定された物によって組み紐が動かないようにすることができるので、安定性を図ることができる。
【００１２】
（４）  上記組み紐を棺に載上して行う葬儀方法。
【００１３】
本発明によれば、上記（１）〜（３）記載の組み紐を棺に載上して葬儀を行うことで、従来行われていた"釘打ちの儀"に変わる葬儀方法を提供することができる。従来は、棺に釘を打つことによって棺に蓋をし、故人との別れの悲しみに区切りをつけていたが、本発明によれば、棺に釘を打ち故人を閉じ込めてしまうといった心理を葬儀参列者に与えずに、組み紐で棺を包みこむことで、真に「出棺前の別れの悲しみにひとつの区切りをつける儀式」を執り行うことができる。
【００１４】
（５）  上記組み紐を棺に載上し、棺の両側面に位置する組み紐をビスで留めて行う葬儀方法。
【００１５】
本発明によれば、上記（１）〜（３）記載の組み紐を棺に載上し、棺の両側面（右側面、左側面）に位置する組み紐（第２の組み紐）の一部をビスで留めることで組み紐を固定し、組み紐が棺上から落ちないようにすることができる。特に、組み紐に固定部材が設けられていて、ある物が固定されている場合には、その物自体や組み紐が棺から落ちやすくなる場合もあるので、そのような影響を少なくするために、棺に組み紐を固定して、安定性を持たせることができる。
【発明の効果】
【００１６】
以上説明したように、本発明は、真に「出棺前の別れの悲しみにひとつの区切りをつける儀式」を行うべく、そのために用いられる組み紐と当該組み紐を用いた葬儀方法を提供することによって、厳かに葬儀を執り行うことができるとともに、葬儀中に棺の上から組み紐や物が落ちたりするということがないように、組み紐の安定性を図ることができる。
【発明を実施するための最良の形態】
【００１７】
以下、本発明の実施の形態を、図面を参照しながら説明する。
【００１８】
図１は、本発明の実施の形態に係る組み紐を棺に載上した様子を示す図であり、棺１０に組み紐１２ａ，１２ｂ及び葬儀用の花１４が載上されている。
【００１９】
組み紐１２ａは、少なくとも棺１０の正面１０ａを覆い棺の右側面１０ｂ（及び左側面１０ｃ）に垂れ下がっている第１の組み紐であって、棺１０上で円環状となるように結ばれている。また、組み紐１２ｂは、少なくとも棺１０の右側面１０ｂ及び左側面１０ｃを覆う一対の第２の組み紐であって、第１の組み紐１２ａに懸架されている。
【００２０】
組み紐１２ａの長さは、棺１０の幅を考慮して決定され、棺１０の幅を３００〜６００ｍｍとすると、少なくとも棺１０の正面１０ａを覆い棺１０上で円環状となるように結ばれていることから少なくとも６００〜１２００ｍｍ、結びや結びの足等を考慮すると３，０００ｍｍ程度となる。また、組み紐１２ｂの長さは、棺１０の高さを考慮して決定され、棺１０の高さを３００〜６００ｍｍとすると、それと同程度の長さとなる。
【００２１】
また、棺１０に載上された棺を飾る装飾品としての葬儀用の花１４は、第１の組み紐１２ａに設けられた固定部材１８によって固定されている。この固定部材１８は、着脱自在のマジックファスナ（登録商標）を採用することができ、花１４を固定部材１８で装着することで、単に棺１０の正面１０ａに花１４を置くよりも花１４の位置が安定するとともに、固定部材１８が設けられた組み紐１２ａが容易に動かないように、組み紐１２ａの位置も安定できることとなる。
【００２２】
また、棺１０の右則目１０ｂ及び左側面１０ｃ（図示せず）に位置する組み紐１２ｂ，１２ｃ（図示せず）の一部をビス１６で留める。かかるビス１６は、組み紐を固定する機能として、また棺を飾る装飾品として機能することができる。
【００２３】
図２は、本発明の実施の形態に係る組み紐１２ａに固定部材１８が設けられている領域Ａの部分拡大図であって、（ａ）は正面図、（ｂ）は右側面図、（ｃ）は左側面図、（ｄ）は平面図、（ｅ）は底面図、（ｆ）は背面図である。
【００２４】
図２によれば、組み紐１２ａの背面に固定部材１８が設けられており、花１４を組み紐１２ａの背面に位置させることができるので、組み紐１２ａの正面の審美的要素を損なうことなく、棺を飾る装飾品として機能することができる。
【００２５】
なお、本発明の実施の形態に係る組み紐１２ａの中心部（図２における領域Ａ）の形状・模様はいかなるものであってもよく、例えば家紋を模したものとすることもできる。
【産業上の利用可能性】
【００２６】
本発明に係る組み紐及び葬儀方法は、従来の"釘打ちの儀"に変わる新たな葬儀方法を提供するために供するものとして、真に「出棺前の別れの悲しみにひとつの区切りをつける儀式」を行うべく適用することができる。
【００２７】
また、本発明に係る組み紐に固定部材を設けることによって、固定された物の安定性及び組み紐の安定性を図り、厳かな葬儀を行うべく適用することができる。
【図面の簡単な説明】
【００２８】
【図１】本発明の実施の形態に係る組み紐を棺に載上した様子を示す図である。
【図２】本発明の実施の形態に係る組み紐に固定部材が設けられている領域Ａの部分拡大図である。
【符号の説明】
【００２９】
１０  棺
１２ａ，１２ｂ  組み紐
１４  葬儀用の花
１６  ビス
１８  固定部材
【図１】
2005040308.tif 000003
【図２】
2005040308.tif 000004